(57)【要約】【課題】  対象となる小型電子機器の形状や大きさに左右されない汎用性があり、自由な変形性や可撓性を備え、その形や小型電子機器の保持方法、保持方向や角度を自由に選択可能なスタンドの実現を目的とする。【解決手段】  軟質金属製の芯材１１１と充電およびデータ転送用のケーブル１１２とを軟質絶縁樹脂製の外皮部分１１３で覆い、芯材１１１に沿って変形した形状を自己保持可能な帯状のケーブル部１１と、ケーブル部の両端部に設けられたコネクタ１２１，１３１と、コネクタ１２１，１３１を覆うキャップ２１，２２とを備えることを特徴とする。【選択図】  図３
0003175533.tif 000002
【実用新案登録請求の範囲】
【請求項１】
小型電子機器を任意の状態に支持するフレキシブルケーブルであって、
軟質金属製の芯材と充電およびデータ転送用のケーブルとを軟質絶縁樹脂製の外皮部分で覆い、前記芯材に沿って変形した形状を自己保持可能なケーブル部と、
前記ケーブル部の両端部に設けられたコネクタと、
前記コネクタを覆うキャップとを備えることを特徴とするフレキシブルケーブル。
【請求項２】
前記ケーブル部は扁平帯形状であることを特徴とする請求項１に記載のフレキシブルケーブル。
【請求項３】
前記ケーブル部の充電および通信用のケーブルはＵＳＢケーブルであることを特徴とする請求項１又は２に記載のフレキシブルケーブル。
【請求項４】
前記コネクタは、一方がＵＳＢのＡタイプのプラグコネクタであり、他方micro−Ｂタイプのプラグコネクタであることを特徴とする請求項３に記載のフレキシブルケーブル。
【請求項５】
前記キャップは前記小型電子機器を支持した際に滑止めとなる突起を備えていることを特徴とする請求項１ないし４の何れか１項に記載のフレキシブルケーブル。
【請求項６】
前記小型電子機器はスマートフォンであることを特徴とする請求項１ないし５の何れか１項に記載のフレキシブルケーブル。
【請求項７】
前記小型電子機器はタブレット型端末であることを特徴とする請求項１ないし５の何れか１項に記載のフレキシブルケーブル。
【考案の詳細な説明】
【技術分野】
【０００１】
本考案は、フレキシブルケーブルに関し、特に、スマートフォン、タブレット型端末、ゲーム機、デジカメなどの小型電子機器に接続可能なフレキシブルケーブルに関する。
【背景技術】
【０００２】
近年、スマートフォン、ゲーム機、デジカメ、音楽プレーヤ等の小型電子機器が広範に普及してきている。
これらの小型電子機器は、データのバックアップ、充電又は画像表示等を行う際には、ＵＳＢ（Ｕｎｉｖｅｒｓａｌ  Ｓｅｒｉａｌ  Ｂｕｓ）等の接続ケーブル等を介してＰＣやＴＶ等の他の電子機器に接続する。
このように、小型電子機器を使用するうえで、ＵＳＢ等の接続ケーブルはあらゆる場面で用いられ、外出時には携帯が必須となっている。
【０００３】
上記のような小型電子機器の接続ケーブルの１つとして、特許文献１が開示するところのＵＳＢプラグ及びＵＳＢケーブルが提案されている。
この特許文献１に開示のＵＳＢプラグ及びＵＳＢケーブルは、コンピュータと周辺機器とを接続するケーブルであって、そのプラグハウジング内にサージ防護回路が形成されている。
【先行技術文献】
【特許文献】
【０００４】
【特許文献１】実用新案登録第３０９９４１１号公報
【考案の概要】
【考案が解決しようとする課題】
【０００５】
上述のように、小型電子機器を外部に持ち出すときには、接続ケーブルを携帯することが必須となっている。さらに、小型電子機器を外部で快適に使用するためには、その他、多数の付属アクセサリの携帯も必要である。特に、小型電子機器を起立させるためのスタンドがあれば、外出先でも通常のＰＣと同様にディスプレイを快適に閲覧することができる。
しかしながら、そのようなスタンドは、携帯するには嵩張るものであり、その持ち運びが面倒であるという問題がある。
【０００６】
本考案は上記問題点に鑑みてなされたものであり、小型電子機器を外部に持ち出す際に、専用のスタンドを携帯しなくても外部でデータのバックアップや充電を行うことができ、また、ディスプレイを快適に閲覧することが可能なフレキシブルケーブルを提供することを目的とする。
【課題を解決するための手段】
【０００７】
上記課題を解決するため、本考案は、小型電子機器を任意の状態に支持するフレキシブルケーブルであって、軟質金属製の芯材と充電およびデータ転送用のケーブルとを軟質絶縁樹脂製の外皮部分で覆い、前記芯材に沿って変形した形状を自己保持可能な扁平帯形状のケーブル部と、前記ケーブル部の両端部に設けられたコネクタと、前記コネクタを覆うキャップとを備えることを特徴とする。
【０００８】
ここで、ケーブル部は扁平帯形状であることを特徴とする。
【０００９】
また、ケーブル部の充電および通信用のケーブルはＵＳＢケーブルであることを特徴とする。
【００１０】
さらに、コネクタは、一方がＵＳＢ  Ａタイプのプラグコネクタであり、他方micro−Ｂタイプのプラグコネクタであることを特徴とする。
【００１１】
また、キャップは小型電子機器を支持した際に滑止めとなる突起を備えていることを特徴とする。
【００１２】
ここで、小型電子機器はスマートフォンまたはタブレット型端末であることを特徴とする。
【考案の効果】
【００１３】
本考案は、以上に述べたように構成されているので、支持対象の小型電子機器に合わせて自由に形状を変形させ、変形された形状を維持して支持対象の小型電子機器に適したスタンドを具現することができ、かつ、小型軽量で携帯性に優れ、充電やデータ転送用のケーブル機能を併せ持つことができる。
【図面の簡単な説明】
【００１４】
【図１】本考案の一実施形態におけるフレキシブルケーブルの外観図であって、（ａ）はその正面図、（ｂ）はその平面図である。
【図２】本考案の一実施形態におけるフレキシブルケーブルのキャップを外した状態の外観図であって、（ａ）はその左側面図、（ｂ）はその正面図、（ｃ）はその右側面図、（ｄ）はその平面図である。
【図３】本考案の一実施形態におけるフレキシブルケーブルのキャップを外した状態の正面側の透過図である。
【図４】本考案の一実施形態におけるフレキシブルケーブルのケーブル部を変形させて、スマートフォン用のスタンドを構成した場合の使用状態を示す図であって、スマートフォンを縦型に支持した場合の例を示している。
【図５】本考案の一実施形態におけるフレキシブルケーブルのケーブル部を変形させて、スマートフォン用のスタンドを構成した場合の使用状態を示す図であって、スマートフォンを横型に支持した場合の例を示している。
【考案を実施するための形態】
【００１５】
以下、本考案の一実施形態におけるフレキシブルケーブルについて図１〜図５に添って説明する。
【００１６】
図１は、本考案の一実施形態におけるフレキシブルケーブル１０の外観図であって、（ａ）はその正面図、（ｂ）はその平面図である。
図に示すようにフレキシブルケーブル１０は、ケーブル部１１と、左右のコネクタ部１２，１３とを有して構成され、これらの左右のコネクタ部１２，１３はそれぞれキャップ２１，２２で覆うことができるようになっている。
【００１７】
ケーブル部１１は、図から明らかなように扁平帯形状に構成されている。
扁平帯形状とは、ケーブル部１１の正面側（背面側）の幅の長さ、すなわち、図１（ａ）に示すケーブル部１１の幅ａと、上面側（底面側）の幅の長さ、すなわち、図１（ｂ）に示すケーブル部１１の厚さｂの比が１：１ではなく、少なくともケーブル部１１の正面側の形状が平坦に形成されているものをいう。
このように、ケーブル部１１は扁平帯形状であるため、平坦に形成された正面側（背面側）を表裏に巻き込むように、容易に変形させることができる。
【００１８】
図２は、図１に示す本考案の一実施形態におけるフレキシブルケーブル１０のキャップ２１，２２を外した状態の外観図であって、（ａ）はその左側面図、（ｂ）はその正面図、（ｃ）はその右側面図、（ｄ）はその平面図である。
【００１９】
図に示すように、ケーブル部１１の一端には、コネクタ部１２が設けられており、そのコネクタ部１２には、ＰＣに接続用のＵＳＢ（Universal Serial Bus）2.0のＡタイプのオスのプラグコネクタ１２１が設けられている。
このコネクタ１２１に冠着するキャップ２１には、その内部がくり抜かれるように、コネクタ受穴２１２が設けられている。このコネクタ受穴２１２がコネクタ１２１の外形に嵌合して、キャップ２１がコネクタ部１２に持着される。
また、キャップ２１には、小型電子機器を支持する際に滑り止めとなる一対の突起２１１が正面側及び背面側にそれぞれ設けられている。
【００２０】
一方、図に示すように、ケーブル部１１の他端には、コネクタ部１３が設けられており、そのコネクタ部１３には、スマートフォンやタブレット型端末に接続用のＵＳＢ（micro-B）タイプのオスのプラグコネクタ１３１と、キャップ２２に嵌合して持着するコネクタ支持部１３２とが設けられている。
このコネクタ１３１に冠着するキャップ２２には、その内部がくり抜かれるように、コネクタ受穴２２２が設けられている。上述の通り、このコネクタ受穴２２２がコネクタ支持部１３２の外形に嵌合して、キャップ２２がコネクタ部１３に持着される。
また、キャップ２２には、小型電子機器を支持する際に滑り止めとなる一対の突起２２１が正面側及び背面側にそれぞれ設けられている。
【００２１】
図３は、図２に示す本考案の一実施形態におけるフレキシブルケーブル１０のキャップ２１，２２を外した状態の正面側の透過図である。
図に示すように、ケーブル部１１は、軟質金属製の芯材１１１と、ＵＳＢケーブル１１２とが軟質絶縁樹脂製の外皮部１１３で覆われた構造になっている。
【００２２】
図に示すように、ケーブル部１１は、柔軟な正面扁平形状をなす帯状の構造である。
このため、ケーブル部１１の平坦に形成されている正面（背面）を表裏に巻き込む方向に外力を加えると、軟質金属製の芯材１１１が変形し、芯材１１１に沿った形でケーブル部１１が変形して、その変形状態がそのまま自己保持される。
【００２３】
従って、支持すべき小型電子機器に合わせてケーブル部１１の形状を正面（背面）方向に巻き込む方向に自由に変形させれば、変形された形状が維持され、これを用いて支持対象の小型電子機器のサイズ・形状に適したスタンドを具現することができる。
さらに、フレキシブルケーブル１０は、接続ケーブル本来の充電やデータ転送用のケーブル機能も当然に有している。
このように、フレキシブルケーブル１０は、通常の接続ケーブルと同様に小型軽量で携帯性に優れているのにかかわらず、従来にはない小型電子機器のスタンドとしての機能も併せ持っている。
【００２４】
図４，５は、本考案の一実施形態におけるフレキシブルケーブル１０のケーブル部１１を変形させて、スマートフォン３０用のスタンドを構成した場合の使用状態を示す図である。
図４は、スマートフォン３０を縦型に支持した場合の例であり、図５はスマートフォン３０を横型に支持した場合の例である。
いずれの場合も、ケーブル部１１をスマートフォン３０にあわせて曲げて変形させて、これでスマートフォン３０を後ろから支え、さらにキャップ２１，２２に設けられた滑り止め突起２１１，２２１がスマートフォン３０の下の部分を抑えて、これらで好適に支持することができる。
【００２５】
また、本考案の一実施形態におけるフレキシブルケーブル１０はＵＳＢケーブル１１２を備えているので、スマートフォン３０とともに用いる場合に、ＰＣなどからスマートフォン３０にデータを転送したり、ＰＣからスマートフォン３０の内部電池を充電したりする役割をあわせて実行することができる。
【００２６】
以上説明したように、本考案の一実施形態におけるフレキシブルケーブル１０によれば、扁平形状の帯状のケーブル部を支持対象の小型電子機器に合わせて自由に変形し、変形した形状を維持して支持対象の小型電子機器に適した支持体を具現することができ、さらに、充電やデータ転送用のケーブル機能を併せ持つ小型軽量で携帯性に優れている。
【００２７】
なお、上記の実施形態は本考案の好適な実施の一形態であり、本考案の実施形態は、これに限定されるものではなく、本考案の要旨を逸脱しない範囲において種々変形して実施することが可能となる。
例えば、本考案の一実施形態におけるフレキシブルケーブル１０は、ＵＳＢケーブルとしても機能するが、その他、電子機器の接続ケーブルであれば、その接続方式はＵＳＢに限定されず、他の方式（例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等）であってもよい。
【符号の説明】
【００２８】
１０    フレキシブルケーブル
１１    ケーブル部
１２、１３    コネクタ部
２１、２２    キャップ
３０    スマートフォン
１１１    芯材
１１２    ケーブル
１１３    外皮部
１２１，１３１    コネクタピン
１３２    コネクタ支持部
２１１，２１２    滑り止め突起
２１２，２２２    コネクタ受穴
【図１】
0003175533.tif 000003
【図２】
0003175533.tif 000004
【図３】
0003175533.tif 000005
【図４】
0003175533.tif 000006
【図５】
0003175533.tif 000007